(57)【要約】【課題】ハンドグリップが取り付けられる浴槽側の取付面の少なくとも一方が曲面に形成された浴槽、又は両取付面が互いに平行でない浴槽に対しても取り付け可能で、入浴者の入浴形態、入浴姿勢、体格差等に影響されずに使用することができる浴槽用ハンドグリップを提供する。【解決手段】入浴者が把持可能な形状に成形された把持部と、該把持部の両端から延出した取付部の端部がそれぞれ浴槽の対応する取付部位に当接する着座面とを有する浴槽用ハンドグリップにおいて、上記着座面の少なくとも一方は、対向する上記取付部位の形状に追従して湾曲する曲面に形成され、一方の着座面に雌ねじ部が開口しその中心軸線が該着座面の法線と一致するように上記取付部に埋設されたインサートナットと、他方の着座面に雄ねじ部が突出しその中心軸線が該着座面の法線と一致するように上記取付部に埋設された取設されたインサートボルトとを備える。【選択図】  図６
2006238942.tif 000002
【特許請求の範囲】
【請求項１】
入浴者が把持可能な形状に成形された把持部と、該把持部の両端から延出した取付部の端部がそれぞれ浴槽の対応する取付部位に当接する着座面とを有する浴槽用ハンドグリップにおいて、
上記着座面は、相互に平行ではない平面に形成され、
一方の着座面に雌ねじ部が開口しその中心軸線が該着座面の法線と一致するように上記取付部に埋設されたインサートナットと、
他方の着座面に雄ねじ部が突出しその中心軸線が該着座面の法線と一致するように上記取付部に埋設された取設されたインサートボルトと、
を備えることを特徴とする浴槽用ハンドグリップ。
【請求項２】
入浴者が把持可能な形状に成形された把持部と、該把持部の両端から延出した取付部の端部がそれぞれ浴槽の対応する取付部位に当接する着座面とを有する浴槽用ハンドグリップにおいて、
上記着座面の少なくとも一方は、対向する上記取付部位の形状に追従して湾曲する曲面に形成され、
一方の着座面に雌ねじ部が開口しその中心軸線が該着座面の法線と一致するように上記取付部に埋設されたインサートナットと、
他方の着座面に雄ねじ部が突出しその中心軸線が該着座面の法線と一致するように上記取付部に埋設された取設されたインサートボルトと、
を備えることを特徴とする浴槽用ハンドグリップ。
【請求項３】
入浴者が把持可能な形状に成形された把持部と、該把持部の両端から延出した取付部の端部がそれぞれ浴槽の対応する取付部位に当接する着座面とを有する浴槽用ハンドグリップにおいて、
上記着座面の少なくとも一方は、対向する上記取付部位の形状に追従して湾曲する曲面に形成され、
該曲面に雌ねじ部が開口しその中心軸線が該曲面の法線と一致するように上記取付部に埋設されたインサートナットと、該曲面に雄ねじ部が突出しその中心軸線が該曲面の法線と一致するように上記取付部に埋設されたインサートボルトと、
他方の着座面に雌ねじ部が開口しその中心軸線が該着座面の法線と一致し且つ上記インサートナット及びインサートボルトのいずれかの中心軸線と平行に上記取付部に埋設されたインサートボルトと、
を備えることを特徴とする浴槽用ハンドグリップ。
【請求項４】
入浴者が把持可能な形状に成形された把持部と、該把持部の両端から延出した取付部の端部がそれぞれ浴槽の対応する取付部位に当接する着座面とを有する浴槽用ハンドグリップにおいて、
上記着座面の少なくとも一方は、対向する上記取付部位の形状に追従して湾曲する曲面に形成され、
該曲面に雌ねじ部が開口しその中心軸線が該曲面の法線と一致するように上記取付部に埋設されたインサートナットと、及び該曲面に雄ねじ部が突出しその中心軸線が該曲面の法線と一致するように上記取付部に埋設されたインサートボルトと、
他方の着座面に雄ねじ部が突出しその中心軸線が該着座面の法線と一致し且つ上記インサートボルトの中心軸線と平行に上記取付部に埋設されたインサートボルトと、
を備えることを特徴とする浴槽用ハンドグリップ。
【発明の詳細な説明】
【技術分野】
【０００１】
本発明は浴槽用ハンドグリップに係り、特にハンドグリップが取り付けられる浴槽側の取付面の少なくとも一方が曲面に形成された浴槽、又は両取付面が互いに平行でない浴槽に対しても取り付け可能なハンドグリップに関する。
【背景技術】
【０００２】
一般住戸の浴室や浴室ユニットに設置される浴槽として、近年、半身浴に利用される半身浴ステップ付きのものが提供されるようになっている。
【０００３】
このタイプの浴槽には、例えば図１１に示すように、浴槽１０１の長手方向の一端に、底部１０２より略１７０〜１８０ｍｍ高く、入浴者が腰掛けることができる半身浴ステップ１０３が設けられる。
【０００４】
また、よりリラックスした入浴を楽しめるように、入浴者が肘を置くことのできるアームレストを有する浴槽も多くなっている。半身浴ステップ付の浴槽では、例えば同図に示すように、半身浴ステップ１０３側の両側面１０４，１０４に、浴槽１０１天端のリム１０５とステップ１０３との高さ方向中間に段部が設けられ、半身浴アームレスト１０６が形成される。一方、ステップ１０３と反対側端部の両側面１０４，１０４には、リム１０５と底部１０１との高さ方向中間に段部が設けられ、底部１０２に腰を下ろして全身を湯に浸ける全身浴時に肘を置くことができる全身浴アームレスト１０７が形成される。
【０００５】
半身浴アームレスト１０６は、全身浴アームレスト１０７より、ステップ１０３と底部１０２との高さの差だけ高い位置に設けられ、両者は、滑らかな曲線を描いた接続部１０８を介して接続されている。これにより、入浴者は、各自の体格や好みに合わせて、所望の位置に肘を置くことができる。
【０００６】
さらに、入浴者が浴槽への出入り時に転倒することを防止するために、例えば図１１に示すように、入浴者が把持することが可能なハンドグリップ１０９が設けられた浴槽も多々見られる。
【０００７】
しかしながら、同図に示すように、ハンドグリップを垂直又は垂直に近い状態で取り付けると、浴槽１０１の一端に背を持たせ掛けた状態から背を起こして腰を上げる際には掴み易いものの、一旦立ち上がって浴槽を跨ぐ際には持ち難い。
【０００８】
反対に、ハンドグリップ１０９を、浴槽の側面１０４の長手方向略中央に、リム１０５近くの高さで水平に取り付けると、浴槽１０１に入る時或いは出る時に立っている状態では掴み易いものの、浴槽１０１から腰を上げる際には、腕を肩より上に上げることもあって掴み辛い。さりとて、ハンドグリップ取付位置を低くすると、立ち上がった状態では腰を屈めて掴むことになり使い辛い。
【０００９】
また、従来のハンドグリップは比較的寸法が短く、立ち上がる時や姿勢を変える場合の補助具としてハンドグリップを使用する場合に、入浴者の体格の大小や入浴姿勢によっては、遠すぎたり近すぎたりして容易にハンドグリップを握ることができないという問題もある。
【００１０】
そこで、この問題に対応するために、寸法の長いハンドグリップが提案されている（例えば、特許文献１参照。）。この寸法の長いハンドグリップを採用することは、入浴者の座する位置が全身浴と半身浴とで異なるこのタイプの浴槽にあっては、全身浴及び半身浴の両方の入浴方法で使用でき、この問題解決には有効である。
【００１１】
しかしながら、寸法の長いハンドグリップを、アームレストを有する浴槽に採用すると、半身浴アームレスト１０６と接近して、アームレスト１０６に肘を置く際邪魔になる。さりとて、アームレストの側面に取り付けると、取付位置が低くなって使い辛いばかりでなく、浴槽の有効幅が狭くなって窮屈になる。
【００１２】
とすれば、寸法の長いハンドグリップを、アームレストの接続部上に接続部と一体となるように取り付けることが、アームレスト及び長いハンドグリップの機能を最も高めることができる方法といえる。この場合、ハンドグリップを浴槽の側面に取り付ける構造とすると、接続部との一体感が減殺されてアームレスト上に肘を置くときに目障りになるばかりでなく、ハンドグリップの取付部が側方から延出するので、その取付部を上から掴むことはできない。これを接続部上に取り付ける構造とすれば、取付部も上から掴め、接続部との一体感も高まり、且つハンドグリップとしての有効長さをより大きくすることができる。
【００１３】
しかしながら、ハンドグリップの左右２箇所の取付部が接続部に当接する面は、両取付部間の距離が長いこともあって、必ずしも平行に形成されるとは限らない。また、ハンドグリップは、清掃性を重視して取り付けを望まない使用者もあり、ハンドグリップが取り付けられない場合でも意匠性が低下しないように、アームレストの接続部は滑らかな略Ｓ字状の曲線に形成される。このように、ハンドグリップの左右２箇所の取付部が接続部に当接する面の形状、曲率及び／又はこの面が指向する向き等も異なるので、ハンドグリップの取付構造に問題が生じる。
【００１４】
すなわち、ハンドグリップ１０８の取付構造として、従来、図１２（ａ）に示すように、内部にインサートナット１１２が仕込まれ、これに浴槽１０１の側面１０４に穿設された孔に挿入されたボルト１１３を螺合させて取り付けるものと、図１２（ｂ）に示すように、内部にインサートボルト１１０が仕込まれ、これを浴槽１０１の側面１０４に穿設された孔に挿入し、ナット１１１を螺合させて取り付けるものとがある。
【００１５】
このうち、取付部に仕込まれるインサートボルト１１０は、浴槽の取付孔に２本のボルトを同時に挿入するために、互いに平行でなければならない（例えば、特許文献２参照。）。一方、インサートナット１１１を仕込むタイプの取付構造では、取付時にこそこのような問題は生じないが、ハンドグリップ製作時において、２本のインサートナットを金型に固定する２本のピンを引き抜くには、やはり両者を平行に仕込まなければならない。スライド型の金型を採用することによりこの問題を回避することは可能であるが、スライド型の金型は高価であるため、採用するにしても最小限の箇所に止めたい。
【特許文献１】特開平１１−１８７９８２号公報
【特許文献２】特開平１１−２４４１７２号公報
【発明の開示】
【発明が解決しようとする課題】
【００１６】
また、ハンドグリップは、半身浴アームレストより高くなってはアームレストがその役割を果たせなくなってしまうので、アームレストの最上部から高くならない形状にしなければならない。そうすると、ハンドグリップは、半身浴アームレストから全身浴アームレストへ向かって略水平方向に延出する形状と成らざるを得なくなるが、これが新たな問題を生み出す。
【００１７】
まず、このような取付形状にするには、取付部分を薄くしなければならないが、そうすると、インサートナットは、インサートボルトよりも仕込み高さが必要となるので、インサートナットを仕込む高さを確保することが困難となる。
【００１８】
また、寸法の長いハンドグリップでは、ハンドグリップが取り付いた状態で、左右に揺する方向に働くモーメントも大きくなるので、これに対抗するために、取付面を大きくしたい。この場合、ハンドグリップが取り付けられる浴槽との密着性を上げるために、少なくとも特に取付面が大きくなる半身浴アームレスト側の取付部では、２箇所で固定したい。とすれば、これら３本のインサートボルト又はインサートナットの位置関係、平行関係も問題となる。
【００１９】
この問題は、単に半身浴ステップ及びアームレストを備える浴槽に対して寸法の長いハンドグリップを取り付ける場合に限られず、複雑な形状を有する浴槽に、ハンドグリップを取り付ける場合全般に共通するものであるが、今までは、同一平面上にある２箇所で固定する、或いは、同一の中心、曲率の同一曲面上にある２箇所で固定する等単純な取付構造しか検討されなかった。
【００２０】
本発明は、上述した事情を考慮してなされたもので、ハンドグリップが取り付けられる浴槽側の取付面の少なくとも一方が曲面に形成された浴槽、又は両取付面が互いに平行でない浴槽に対しても取り付け可能で、入浴者の入浴形態、入浴姿勢、体格差等に影響されずに使用することができる浴槽用ハンドグリップを提供することを目的とするものである。
【００２１】
本発明はまた、取付面の少なくとも一方が曲面に形成され、且つ大きい取付面を必要とする浴槽に対しても取り付け可能な浴槽用ハンドグリップを提供することを目的とする。
【課題を解決するための手段】
【００２２】
本発明に係る浴槽用ハンドグリップは、上述した課題を解決するために、請求項１に記載したように、入浴者が把持可能な形状に成形された把持部と、該把持部の両端から延出した取付部の端部がそれぞれ浴槽の対応する取付部位に当接する着座面とを有する浴槽用ハンドグリップにおいて、上記着座面は、相互に平行ではない平面に形成され、一方の着座面に雌ねじ部が開口しその中心軸線が該着座面の法線と一致するように上記取付部に埋設されたインサートナットと、他方の着座面に雄ねじ部が突出しその中心軸線が該着座面の法線と一致するように上記取付部に埋設された取設されたインサートボルトとを備えるものである。
【００２３】
そして、本発明に係る浴槽用ハンドグリップは、上述した課題を解決するために、請求項２に記載したように、入浴者が把持可能な形状に成形された把持部と、該把持部の両端から延出した取付部の端部がそれぞれ浴槽の対応する取付部位に当接する着座面とを有する浴槽用ハンドグリップにおいて、上記着座面の少なくとも一方は、対向する上記取付部位の形状に追従して湾曲する曲面に形成され、一方の着座面に雌ねじ部が開口しその中心軸線が該着座面の法線と一致するように上記取付部に埋設されたインサートナットと、他方の着座面に雄ねじ部が突出しその中心軸線が該着座面の法線と一致するように上記取付部に埋設された取設されたインサートボルトとを備えるものである。
【００２４】
また、上述した課題を解決するために、請求項３に係る浴槽用ハンドグリップは、入浴者が把持可能な形状に成形された把持部と、該把持部の両端から延出した取付部の端部がそれぞれ浴槽の対応する取付部位に当接する着座面とを有する浴槽用ハンドグリップにおいて、上記着座面の少なくとも一方は、対向する上記取付部位の形状に追従して湾曲する曲面に形成され、該曲面に雌ねじ部が開口しその中心軸線が該曲面の法線と一致するように上記取付部に埋設されたインサートナットと、該曲面に雄ねじ部が突出しその中心軸線が該曲面の法線と一致するように上記取付部に埋設されたインサートボルトと、他方の着座面に雌ねじ部が開口しその中心軸線が該着座面の法線と一致し且つ上記インサートナット及びインサートボルトのいずれかの中心軸線と平行に上記取付部に埋設されたインサートボルトとを備えるものである。
【００２５】
さらに、上述した課題を解決するために、請求項４に係る浴槽用ハンドグリップは、入浴者が把持可能な形状に成形された把持部と、該把持部の両端から延出した取付部の端部がそれぞれ浴槽の対応する取付部位に当接する着座面とを有する浴槽用ハンドグリップにおいて、上記着座面の少なくとも一方は、対向する上記取付部位の形状に追従して湾曲する曲面に形成され、該曲面に雌ねじ部が開口しその中心軸線が該曲面の法線と一致するように上記取付部に埋設されたインサートナットと、該曲面に雄ねじ部が突出しその中心軸線が該曲面の法線と一致するように上記取付部に埋設されたインサートボルトと、他方の着座面に雄ねじ部が突出しその中心軸線が該着座面の法線と一致し且つ上記インサートボルトの中心軸線と平行に上記取付部に埋設されたインサートボルトとを備えるものである。
【発明の効果】
【００２６】
本発明に係る浴槽用ハンドグリップによれば、ハンドグリップが取り付けられる浴槽側の取付面の少なくとも一方が曲面に形成された浴槽、又は両取付面が互いに平行でない浴槽に対しても取り付け可能で、入浴者の入浴形態、入浴姿勢、体格差等に影響されずに使用することが可能となる。
【００２７】
本発明に係る浴槽用ハンドグリップによれば、また、取付面の少なくとも一方が曲面に形成され、且つ大きい取付面を必要とする浴槽に対しても取り付けることができる効果が得られる。
【発明を実施するための最良の形態】
【００２８】
本発明に係る浴槽用ハンドグリップの実施の形態について、添付図面を参照して説明する。図１は、本発明に係る浴槽用ハンドグリップ９を備える浴槽１の概要を示す斜視図であり、図２はその平面図、図３は浴槽１の長手方向縦断面図、図４は同短手方向縦断面図である。
【００２９】
浴槽１は、入浴者が全身浴を享受するときに腰を下ろせる底部２の四周から側面４が上方に立ち上げられ、その上端は外方に拡開してリム３が形成される。そして、浴槽１の長手方向の一端に、底部２より略１７０〜１８０ｍｍ高く、入浴者が半身浴を享受するときに腰掛けることができる半身浴ステップ３が設けられる。この半身浴ステップ３は、全身浴時の足置きとしても利用される。
【００３０】
浴槽１の半身浴ステップ３と対向する側の側面４頂部は、リム５との接続部が緩やかに傾斜してヘッドレスト２０が形成され、全身浴時にリラックスした姿勢で入浴できるようになっている。
【００３１】
また、浴槽１には、よりリラックスした入浴を楽しめるように、入浴者が肘を置くことのできるアームレストが設けられている。半身浴ステップ３側の両側面４，４には、浴槽１天端のリム５から一段低いところに段差状の平坦面が設けられ、半身浴ステップ３に腰掛ける半身浴時に入浴者が肘を置くことができる半身浴アームレスト６が形成される。
【００３２】
一方、ステップ３と反対側端部の両側面４，４には、リム５と底部１との高さ方向中間に段差状の平坦面が設けられ、底部２に腰を下ろす全身浴時に入浴者が肘を置くことができる全身浴アームレスト７が形成される。
【００３３】
半身浴アームレスト６は、全身浴アームレスト７より、半身浴ステップ３と底部２との高さの差だけ高い位置に設けられ、両者は、滑らかな曲線を描いた接続部８を介して接続されている。これにより、入浴者は、各自の体格や好みの姿勢に合わせて、所望の位置に肘を置くことができ、安定した姿勢で入浴することが可能となる。
【００３４】
さらに、入浴者が浴槽１への出入り時に転倒することを防止する等のために、入浴者が容易に把持することができるハンドグリップ９が設けられる。本発明を構成するこのハンドグリップ９について、図５を参照して説明する。図５（ａ）はハンドグリップ９の上面図、図５（ｂ）は同側面図、図５（ｃ）は同じく下面図である。
【００３５】
ハンドグリップ９は、図５（ｂ）に示すように、中央において入浴者が把持可能な形状に成形された把持部９ａと、この把持部９ａの端部から延出して、浴槽１の全身浴アームレスト７側へ取り付けられる下側取付部９ｂと，同じく半身浴アームレスト６側に取付られる上側取付部９ｃとにより構成され、全体としてアーチ状に形成される。
【００３６】
ハンドグリップ９は、半身浴ステップ３側の取付部９ｃと半身浴アームレスト６とが略同等高さとされるとともに、取付部９ｃがアームレスト６の表面とほぼ連続した滑らかな曲面となるように形成される。このように形成されることにより、半身浴アームレスト６に肘を置いた姿勢で、手先で自然にハンドグリップ９を握ることができ、さらにリラックスした姿勢での入浴が可能となる。
【００３７】
また、浴槽１の半身浴ステップ３側に設けた半身浴アームレスト６に肘を置いた姿勢でハンドグリップ９を把持することが可能なことから、半身浴時の入浴者の姿勢が効果的に安定するだけでなく、半身浴からの立ち座りが自然にできて安心して入浴することができる。さらに、浴槽１への出入りに際してもハンドグリップ９を握ることができるので、姿勢が安定し、よりスムーズ且つ安全に浴槽１に出入りすることができる。
【００３８】
また、ハンドグリップ９を握ることにより、姿勢を安定させることができるので、半身浴時における腰の滑り込み等も防止され、安心して入浴することができる。
【００３９】
一方、ハンドグリップ９の他端、すなわち下側取付部９ｂは、全身浴アームレスト７の表面に対し一定の角度を持って立ち上がるような位置関係に固定される。
【００４０】
入浴者が全身浴に際し、底部２に腰を落としている際に、全身浴アームレスト７に肘を置けば、手先はハンドグリップ９の下側取付部９ｂ近傍に位置することになり、自然にハンドグリップ９を握ることができる。そして、立ち上がった後は、ハンドグリップ９を握った手を把持部９ａに沿って上側取付部側へと滑らせれば、全身浴からの立ち座りが自然にできて安心して入浴することができる。
【００４１】
一方、入浴者が、浴槽１の底部２に着座して全身浴する場合、半身浴ステップ３を足置きとして使用することができる。この際、全身浴アームレスト７に肘を置いてハンドグリップ９を把持することによって、全身浴時の姿勢が安定する。したがって、よりリラックスした入浴感を得ることができる。
【００４２】
このように、把持部９ａの形状は、下側取付部９ｂから上側取付部９ｃに亘って緩やかな曲率の弓形に成形されており、入浴姿勢や入浴者の身長差に対して幅広く対応可能で、把持部９ａのどの部分においても使用感が良好である。
【００４３】
下側取付部９ｂ及び上側取り付け部９ｃの端部が浴槽１の対応する取付部位に当接する面は、図５（ｂ）及び（ｃ）に示すように、浴槽１の対向する取付部位の形状に追従して湾曲して、それぞれ下側着座面９ｄ、上側着座面９ｅが形成される。これら下側着座面９ｄ、上側着座面９ｅは、その全面で浴槽１側の取り付け部位と当接する。
【００４４】
下側取付部９ｂには、下側着座面９ｄにその雌ねじ部１２ａが開口するインサートナット１２が埋設される。このインサートナット１２の中心軸線は、下側着座面９ｄのその部位の法線と一致するように設けられている。
【００４５】
また、上側取付部９ｃには、上側着座面９ｅにその雌ねじ部１２ａが開口するインサートナット１２と、同じくその雄ねじ部１０ａが突出するインサートボルト１０が埋設される。これらインサートナット１２及びインサートボルト１０の中心軸線は、下側着座面９ｄのそれぞれが位置する部位の法線と一致するように設けられている。
【００４６】
そして、下側着座面９ｄのインサートナット１２は、ハンドグリップ９が浴槽１に取設され、その浴槽１が所定の位置に水平に載置された状態における鉛直線Ｖからθ１傾斜して取り付けられ、上側着座面９ｅのインサートボルト１０もこの傾斜角θ１に合わせて取り付けられる。この平行関係は、先に上側着座面９ｅのインサートボルト１０の傾斜角を決定し、下側着座面９ｄのインサートナット１２の傾斜角をそれに合わせることによって確保してもよい。
【００４７】
このとき、上側着座面９ｅのインサートナット１２の傾斜角は、上側着座面９ｅが曲面であるため、インサートボルト１０の傾斜角θ１と等しくなることはなく、上側着座面９ｅのインサートナット１２は、異なる傾斜角θ２で取り付けられる。
【００４８】
次に、ハンドグリップ９の浴槽１への取り付け手順を、図６を参照して説明する。取り付け前に、準備作業として、パッキン１４が、雄ねじ部１０ａ及び雌ねじ部１２ａに当たる部分を除いて、下側着座面９ｄ及び上側着座面９ｅに貼着される。
【００４９】
そして、インサートボルト１０の雄ねじ部１０ａを、浴槽１の半身浴アームレスト６近傍に穿設された取付孔１９に挿入し、この雄ねじ部１０ａに、浴槽１裏面から、座金１５及び座金パッキン１６を外嵌した後、ナット１１を螺嵌させてインサートボルト１０を固定する。
【００５０】
インサートナット１２の場合、取付孔１９に、浴槽１裏面からボルト１３を挿通してこれを保持しつつ、インサートナット１２をその位置まで持って行く作業が必要となるが、このようにインサートボルト１０を使用すれば、ハンドグリップ９の取り付け位置を容易に確定することができる。
【００５１】
インサートボルト１０が固定されれば、続いて、下側着座面９ｄ及び上側着座面９ｅのインサートナット１２を固定する。このとき、インサートナット１２は、取付孔１９上にあるので、浴槽１裏面から、座金１５及び座金パッキン１６が外嵌されたボルト１３を雌ねじ部１２ａに容易に螺合させることができる。
【００５２】
次に、着座面の少なくとも一方が曲面に形成される場合における、下側着座面９ｄ及び上側着座面９ｅの固定方法の関係について説明する。この両者の固定方法としては、図７（ａ）に示すように、２本のインサートボルト１０を用いる第１の方法、同図（ｂ）に示す２本のインサートナット１２を用いる第２の方法、及び、同（ｃ）に示すように、インサートボルト１０とインサートナット１２とを併用する第３の方法とがある。
【００５３】
第１の方法では、位置決めが容易であるという長所はあるももの、２本のインサートボルト１０，１０が、必ず略同じ傾斜角θ１で固定されなければならないという短所もある。この傾斜角がある程度以上大きく異なると、２つの雄ねじ部１０ａ，１０ａを同時に取付孔１９，１９に挿入することができなくなるからである。
【００５４】
これに対し、第２の方法ではこのような問題は生じず、少々傾斜角が異なっても取り付けることは可能である。但し、ハンドグリップ９の製作時において、傾斜角が異なると通常の金型では脱型することができないので、スライド金型を採用せざるを得なくなり、これはコストアップに直結する。
【００５５】
また、ボルト１３をインサートナット１２に堅固に固定するには、両者を一定以上の長さで螺合させる必要があり、そのため、インサートナット１２自体にも一定以上の長さが要求される。したがって、図７（ｂ）に示すように、取付部に十分な高さを取れない場合には採用することができない。本実施形態の上側取り付け部９ｃがこの場合に当たる。
【００５６】
その点、第３の方法は、図７（ｃ）に示すように、取付部の高さが制限される側にインサートボルトを配置することにより、傾斜角を同一にする必要性もなければ、位置決めも容易となり、第１及び第２の方法の長所を併せ持つ方法であるといえる。
【００５７】
続いて、本実施形態における上側取付部９ｃの場合のように、その着座面が大きいことから、２本以上のインサートボルト１０及び／又はインサートナット１２を必要とするときの固定方法について説明する。このときの固定方法としては、図７に示した場合と同様に、図８（ａ）に示す２本のインサートボルト１０を用いる第１の方法、同図（ｂ）に示す２本のインサートナット１２を用いる第２の方法、及び、同（ｃ）に示すように、インサートボルト１０とインサートナット１２とを併用する第３の方法とがある。
【００５８】
第１の方法は、着座面が曲面であるため傾斜角を同一にすることはできないので採用するを得ず、第２の方法でも、着座面が曲面であるため傾斜角は必ず異なり、スライド金型の採用が必須となる外、取付部の高さ制限の問題もある。したがって、ここでもインサートボルト１０とインサートナット１２との併用が最も優れたものとなる。
【００５９】
以上より、上述した二つのケースを組み合わせた場合、すなわち、着座面の少なくとも一方が曲面に形成され、且つ、その着座面に２本のインサートが必要とされる場合においては、図６に示したインサートの組み合わせが最適であるといえる。なお、下側取付部９ｂのインサートナット１２を、図９に示すように、インサートボルト１０とすることも可能である。
【００６０】
このように、３本のインサートボルト／インサートナットの組み合わせとしては八つの場合があるが、実用できるのは、これら二つの場合に限られる。但し、上側取付部９ｃに高さの制限がなければ、上側取付部９ｃのインサートボルト１０とインサートナット１２とを入れ替えることは可能である。
【００６１】
これをさらに発展させた、両方の着座面が曲面に形成され、且つ、両方の着座面に２本のインサートが必要とされる場合はどうか。この場合は、図１０に示すように、それぞれの着座面には、１本のインサートボルト１０と１本のインサートナット１２とが埋設され、両着座面間の関係では、２本インサートボルト１０，１０の傾斜角の同一が最優先されることになる。このとき、２本のインサートナット１２，１２の傾斜角の同一性は必ずしも要求されないが、スライド金型の採用を回避することができるので、同一とすることが望ましい。
【００６２】
以上に説明した実施態様は説明のためのものであり、本発明の範囲を制限するものではない。従って、当業者であればこれらの各要素もしくは全要素をこれと均等なものによって置換した実施態様を採用することが可能であるが、これらの実施態様も本発明の範囲に含まれる。
【００６３】
例えば、本実施形態においては、浴槽のハンドグリップ取付面が曲面に形成された場合を例に採って説明したが、取付面の形状はこれに限られず、両取付面が互いに平行でない場合にも採用することができる。
【００６４】
また例えば、本実施形態においては、半身浴ステップとアームレストを有する浴槽に取り付けるハンドグリップを例に採って説明したが、取り付けられる浴槽はこれに限られず、平面形状が円形の浴槽や、或いは複雑な形状に形成されたプールに取り付けられるハンドグリップ等にも採用できるものである。
【図面の簡単な説明】
【００６５】
【図１】本発明に係る浴槽用ハンドグリップを備える浴槽の実施形態の概要を示す斜視図。
【図２】図１に示された浴槽の平面図。
【図３】図１に示された浴槽のＡ−Ａ矢視図。
【図４】図１に示された浴槽のＢ−Ｂ矢視図。
【図５】本実施形態に係る浴槽用ハンドグリップの（ａ）は上面図、（ｂ）は側面図、（ｃ）は下面図。
【図６】本実施形態に係る浴槽用ハンドグリップの取付詳細図。
【図７】浴槽用ハンドグリップの取付構造の例を示す図で、（ａ）はインサートボルト２箇所、（ｂ）はインサートナット２箇所、（ｃ）はインサートボルト／インサートナットを用いた取付状態を示す図。
【図８】浴槽用ハンドグリップの一方の着座面に対し２箇所で固定する場合の例を示す図で、（ａ）はインサートボルト２箇所、（ｂ）はインサートナット２箇所、（ｃ）はインサートボルト／インサートナットを用いた取付状態を示す図。
【図９】本実施形態に係る浴槽用ハンドグリップの変形例を示す図。
【図１０】本実施形態に係る浴槽用ハンドグリップの他の変形例を示す図。
【図１１】従来の浴槽用ハンドグリップの取付状態の一例を示す図で、（ａ）は平面図、（ｂ）は浴槽の縦断面図。
【図１２】従来の浴槽用ハンドグリップの取付構造を示す図であり、（ａ）はインサートナットを用いる場合、（ｂ）はインサートボルトを用いる場合をそれぞれ示す図。
【符号の説明】
【００６６】
１  浴槽
２  底部
３  半身浴ステップ
４  側面
５  リム
６  半身浴アームレスト
７  全身浴アームレスト
８  接続部
９  ハンドグリップ
９ａ  把持部
９ｂ  下側取付部
９ｃ  上側取付部
９ｄ  下側着座面
９ｅ  上側着座面
１０  インサートボルト
１０ａ  雄ねじ部
１１  ナット
１２  インサートナット
１２ａ  雌ねじ部
１３  ボルト
１４  パッキン
１５  座金
１６  座金パッキン
１９  取付孔
２０  ヘッドレスト
【図１】
2006238942.tif 000003
【図２】
2006238942.tif 000004
【図３】
2006238942.tif 000005
【図４】
2006238942.tif 000006
【図５】
2006238942.tif 000007
【図６】
2006238942.tif 000008
【図７】
2006238942.tif 000009
【図８】
2006238942.tif 000010
【図９】
2006238942.tif 000011
【図１０】
2006238942.tif 000012
【図１１】
2006238942.tif 000013
【図１２】
2006238942.tif 000014